(57)【要約】      （修正有）【課題】基地局が中継局と端末のチャネル状態を問合せ、それに対して中継局と端末が返答する際に、端末に実質的に新たな仕様変更を施すことなく、無線帯域を効率よく利用する。【解決手段】基地局から送信された、その配下にある中継局に対する端末のチャネル状態を問合せるための第２のメッセージを受信した時、中継局はその配下にある他の中継局に第２のメッセージを転送する。また、第２のメッセージの内容を参照し、中継局の配下にある端末のチャネル状態を問合せるための第１のメッセージを生成し、生成された第１のメッセージをその配下の端末へ送信する。中継局は、配下にある端末から送信された端末のチャネル状態を報告するための第３のメッセージを受信し、１又は複数の第３のメッセージの内容を集約して、１又は複数の端末のチャネル状態を報告するための第４のメッセージを作成し、作成された第４のメッセージを回答として基地局へ送信する。【選択図】図１
2008219341.tif 000002
【特許請求の範囲】
【請求項１】
基地局と、端末との間で無線通信される情報を中継する無線通信方法であって、
該基地局から送信された、該基地局の配下にある中継局に対する該端末のチャネル状態を問合せるための該第２のメッセージを受信した時、その配下にある他の中継局に該第２のメッセージを転送するステップと、
該第２のメッセージの内容を参照して、該中継局の配下にある該端末のチャネル状態を問合せるための該第１のメッセージを生成するステップと、
生成された該第１のメッセージをその配下の該端末へ送信するステップと、
配下にある該端末から送信された、該端末のチャネル状態を報告するための該第３のメッセージを受信するステップと、
１又は複数の該第３のメッセージの内容を集約して、１又は複数の該端末のチャネル状態を報告するための第４のメッセージを作成するステップと、
作成された該第４のメッセージを該基地局へ送信するステップと、
を有することを特徴とする無線通信方法。
【請求項２】
配下にある該端末から送信された該第３のメッセージを受信した時、該第３のメッセージを記憶手段に一時的に格納するステップと、を有し、
該記憶手段に格納された１又は複数の該第３のメッセージの内容を集約処理して、該第４のメッセージを作成することを特徴とする請求項１の無線通信方法。
【請求項３】
前記第２のメッセージを受信した後、タイマカウント動作を行うステップと、
タイマカウントによって一定時間をカウントした時、該記憶手段に格納された１又は複数の該第３のメッセージを読み出して、集約処理することを特徴とする請求項２の無線通信方法。
【請求項４】
複数の該端末のチャネル状態の報告情報と、該複数の端末のアドレスを含むように該第４のメッセージを作成することを特徴とする請求項１乃至３のいずれかの無線通信方法。
【請求項５】
該中継局の配下にある他の中継局及び端末のアドレスをテーブルに登録して用意するステップと、該テーブルを参照することにより、該中継局の配下にある他の中継局又は該端末を認識することを特徴とする請求項１乃至４のいずれかの無線通信方法。
【請求項６】
基地局と、端末との間の無線通信を中継する中継局において、
該基地局及び該端末との間で無線通信するためのインターフェースと、通信情報を格納する記憶手段と、通信情報に関する情報処理を行う処理装置とを有し、
該処理装置は、該基地局から送信された、該端末のチャネル状態を問合せるための第２のメッセージの内容を参照して、該中継局の配下にある該端末のチャネル状態を問合せるための該第１のメッセージを生成する手段と、配下にある複数の該端末から取得された、各端末のチャネル状態を報告するための該第３のメッセージの内容を集約して、複数の該端末のチャネル状態を報告するための第４のメッセージを作成する手段と、を有し、
該基地局から送信された、その配下にある中継局に対する該端末のチャネル状態を問合せるための該第２のメッセージを、該インターフェースを介して受信した場合、その配下にある他の中継局に該第２のメッセージを送信し、
該生成手段によって生成された該第１のメッセージを、該インターフェースを介してその配下の該端末へ送信し、
配下にある該端末から送信され受信した、該端末のチャネル状態を報告するための１又は複数の該第３のメッセージから、該作成手段によって作成された該第４のメッセージを該インターフェースを介して該基地局へ送信することを特徴とする中継局。
【請求項７】
配下にある該端末から送信された該第３のメッセージを受信した時、該第３のメッセージを記憶手段に一時的に格納し、
前記作成手段は、該記憶手段に格納された、複数の該第３のメッセージの内容を集約処理して、該第４のメッセージを作成することを特徴とする請求項６の中継局。
【請求項８】
基地局と、中継局と、端末との間で無線通信する無線通信方法であって、
該基地局はその配下の該端末のチャネル状態を問合せるための第１のメッセージを送信し、該基地局の配下にある該中継局に対して配下の該端末のチャネル状態を問合せるための第２のメッセージを送信し、
該中継局は該第２のメッセージを受信すると、その配下の該中継局に該第２のメッセージを転送し、該第２のメッセージの内容を参照して該第１のメッセージを生成し、その配下の該端末に該第１のメッセージを送信し、
該第１のメッセージを受信した該端末は該第１のメッセージに応答して該端末のチャネル状態を報告するメッセージを送出することを特徴とする無線通信方法。
【請求項９】
該第２のメッセージは、該中継局のチャネル状態の要求情報を含む、請求項８記載の無線通信方法。
【請求項１０】
該中継局は、その配下にある該端末から送信された、該端末のチャネル状態を報告するための該第３のメッセージを受信し、
受信した１又は複数の該第３のメッセージの内容を集約して、１又は複数の該端末のチャネル状態を報告するための第４のメッセージを作成し、
作成した該第４のメッセージを、該第１のメッセージに対する回答として該基地局に対して送信することを特徴とする請求項８記載の無線通信方法。
【請求項１１】
該中継局は、複数の該第３のメッセージを集約して１つの第４のメッセージを作成することを特徴とする請求項１０記載の無線通信方法。
【請求項１２】
基地局と、端末との間の無線通信を中継する中継局において実行される無線通信処理用のプログラムであって、
該基地局から送信されたメッセージを受信する手段と、
該基地局から送信された、その配下にある中継局に対する該端末のチャネル状態を問合せるための該第２のメッセージを受信した時、その配下にある他の中継局に該第２のメッセージを送信する手段と、
該第２のメッセージの内容を参照して、該中継局の配下にある該端末のチャネル状態を問合せるための該第１のメッセージを生成する手段と、
生成された該第１のメッセージをその配下の該端末へ送信する手段と、
配下にある該端末から送信された、該端末のチャネル状態を報告するための該第３のメッセージを受信する手段と、
配下にある複数の該端末からそれぞれ取得された、該第３のメッセージの内容を集約して、複数の該端末のチャネル状態を報告するための第４のメッセージを作成する手段と、
作成された該第４のメッセージを該基地局に対して送信する手段と、を有することを特徴とするプログラム。
【発明の詳細な説明】
【技術分野】
【０００１】
本発明は、無線データ通信方法及びシステムに係り、特に、通信規格ＩＥＥＥ８０２．１６に適用することを想定した無線通信に関する。
【背景技術】
【０００２】
近年、新しい無線通信技術の一つとしてＷｉＭＡＸ（ワイマックス）が注目されている。ＷｉＭＡＸは、基地局と端末間で広帯域な無線通信を行うシステムであり、その通信規格は、ＩＥＥＥ８０２．１６で規定されている。例えば、モバイル通信に対応したＩＥＥＥ８０２．１６ｅ規格（以下、８０２．１６ｅ規格という）は２００５年に標準化されている（非特許文献１）。さらに、２００６年より、８０２．１６ｅ規格を拡張し、中継局を導入したマルチホップ通信を実現する、ＩＥＥＥ８０２．１６ｊ規格（以下、８０２．１６ｊ規格という）の標準化の議論が行われている。８０２．１６ｊ規格では、基地局と端末が直接通信できない場合、中継局がそれらの間に存在する場合はデータを中継することができる。８０２．１６ｊ規格におけるネットワーク構造は、基地局を頂点としたツリー型のトポロジーとなる。また、８０２．１６ｊ規格において、端末は８０２．１６ｅ規格との相互接続性を保つため、端末に対する仕様変更が認められていない。
【非特許文献１】ＩＥＥＥ  ｓｔａｎｄａｒｄ  ８０２．１６ｅ−２００５
【発明の開示】
【発明が解決しようとする課題】
【０００３】
非特許文献１では、基地局が端末のチャネル状態を問い合わせるために、ＲＥＰ−ＲＥＱ（ＣＨＡＮＮＥＬ  ＭＥＡＳＵＲＥＭＥＮＴ  ＲＥＰＯＲＴ  ＲＥＱＵＥＳＴ）メッセージを送信し、それを受信した端末はＲＥＰ−ＲＳＰ（ＣＨＡＮＮＥＬ  ＭＥＡＳＵＲＥＭＥＮＴ  ＲＥＰＯＲＴ  ＲＥＳＰＯＮＳＥ）メッセージでチャネル状態を基地局に返信することが規定されている。ＲＥＰ−ＲＥＱ、ＲＥＰ−ＲＳＰそれぞれ、基地局と端末間で一対一で送受信されるメッセージである。
【０００４】
８０２．１６ｊ規格においてＲＥＰ−ＲＥＱ、ＲＥＰ−ＲＳＰメッセージを適用した場合、中継局がこれらのメッセージを中継する必要がある。また、これらのメッセージを、中継局のチャネル状態を問い合わせるために、基地局と中継局の間で適用することが考えられる。しかし、これらは一対一でやりとりされるメッセージであるため、複数の中継局、端末に対してチャネル状態の問い合わせをする場合、基地局は複数のＲＥＰ−ＲＳＰメッセージを生成し、各中継局あるいは端末へ送信する必要がある。また、基地局はＲＥＰ−ＲＥＱメッセージを送信した数と同じＲＥＰ−ＲＳＰメッセージを受信することになる。従って、多数のＲＥＰ−ＲＥＱ，ＲＥＰ−ＲＳＰメッセージが送信されることになり、特に基地局近辺の無線リンクにおいて限られた無線帯域を圧迫する恐れがある。
【０００５】
本発明の目的は、基地局が中継局と端末のチャネル状態を問い合わせ、それに対して中継局と端末が返答する場合、端末に大幅な仕様変更を施すことなく、無線帯域を効率よく利用することにある。
【課題を解決するための手段】
【０００６】
本発明は、好ましくは、基地局と端末との間で無線通信される情報を中継する無線通信方法において、基地局から送信された、その配下にある中継局に対する端末のチャネル状態を問合せるための第２のメッセージを受信した時、その配下にある他の中継局に第２のメッセージを転送し、第２のメッセージの内容を参照して、中継局の配下にある端末のチャネル状態を問合せるための第１のメッセージを生成し、生成された第１のメッセージをその配下の端末へ送信し、
配下にある端末から送信された、端末のチャネル状態を報告するための第３のメッセージを受信し、１又は複数の第３のメッセージの内容を集約して、１又は複数の端末のチャネル状態を報告するための第４のメッセージを作成し、作成された第４のメッセージを前記第２のメッセージに対する回答として基地局へ送信する無線通信方法として構成される。
【０００７】
好ましい例では、配下にある端末から送信された第３のメッセージを受信した時、第３のメッセージを記憶手段に一時的に格納しておき、この記憶手段に格納された、１又は複数の第３のメッセージの内容を集約処理して、１つの第４のメッセージを作成する。
また、好ましい例では、前記第２のメッセージを受信した後、タイマカウント動作を行い、このタイマカウントによって一定時間をカウントした時、記憶手段に格納された１又は複数の第３のメッセージを読み出して集約処理して第４のメッセージを作成する。
また、好ましい例では、複数の端末のチャネル状態の報告情報と、複数の端末のアドレスを含むように第４のメッセージを作成する。
また、好ましくは、中継局の配下にある他の中継局及び端末のアドレスをテーブルに登録して用意するステップと、テーブルを参照することにより、中継局の配下にある他の中継局又は端末を認識する。
本発明は、また、新規な構成を持った中継局、更には中継局の処理装置で実行されるプログラムとしても把握される。
【発明の効果】
【０００８】
本発明によれば、基地局が中継局と端末のチャネル状態を問い合わせ、それに対して中継局と端末が返答する際に、端末に大幅な仕様変更を施すことなく、無線帯域を効率よく利用することが可能となる。
【発明を実施するための最良の形態】
【０００９】
以下、本実施形態について、図面を用いて説明する。
図１は、本実施例の無線通信システムの構成図である。
この無線通信システムは、基地局１０、複数の中継局１２１〜１２４（総称して１２ということがある）、複数の端末１３１〜１３４（総称して１３ということがある）の各装置が無線通信によって接続して構成される。
【００１０】
図２は、中継局１２のハードウェア構成図である。
中継局１２は所謂コンピュータであり、ＣＰＵ２１は中継局全体を制御するユニットであり、プログラムの実行によって本発明に特徴的なデータ通信に関する処理を行う。メモリ２２は、通信データ及びプログラム等を格納する。コンソール２３はユーザが入出力を行うためのユニットであり、コンソールコントローラ２４はコンソール２３を制御する。無線インターフェースＩ／Ｆ２５には、基地局１０、他の中継局１２及び端末１３が無線接続される。ネットワークコントローラ２６は無線インターフェースＩ/Ｆ２５を制御する。
なお、図示していないが、更に有線ＬＡＮを接続するために、その有線ＬＡＮを制御するネットワークコントローラを備えるようにしてもよい。
また、図２は中継局１２のハードウェア構成であるが、基地局１０や端末１３のハードウェア構成も実質的に図２の構成と同様である。
【００１１】
図３は、チャネル状態の問合せメッセージのフォーマットを示す。
このメッセージには、端末又は中継局のチャネル状態を問い合わせるためのものであり、基地局または中継局が端末に対して送信するＲＥＰ−ＲＥＱ（ＣＨＡＮＮＥＬ  ＭＥＡＳＵＲＥＭＥＮＴ  ＲＥＰＯＲＴ  ＲＥＱＵＥＳＴ）メッセージと、基地局が中継局に対して送信するか、又は中継局が他の中継局に対して転送するメッセージの２つある。
前者のＲＥＰ−ＲＥＱメッセージは、８０２．１６ｅ規格で規定されたものである。後者のメッセージは、本発明者が考案したものであり、ここでは便宜上、ＲＥＰ−ＲＥＱ−ＡＤＶ（ＣＨＡＮＮＥＬ  ＭＥＡＳＵＲＥＭＥＮＴ  ＲＥＰＯＲＴ  ＲＥＱＵＥＳＴ  ＡＤＶＥＲＴＩＳＥＭＥＮＴ）と言うことにする。
【００１２】
これらのメッセージは、そのメッセージを生成した基地局のアドレスを示す送信元アドレス３１、メッセージのあて先となる端末のアドレスを示す送信先アドレス３２、メッセージの種別を示すメッセージ種別３３、チャネル状態の要求情報を格納するチャネル状態要求情報３４から構成される。メッセージ種別は８０２．１６ｅ規格で規定された種別コードを格納する。
【００１３】
ＲＥＰ−ＲＥＱメッセージの送信元アドレス３１は基地局１を格納する。特に、中継局１２が端末１３に対してＲＥＰ−ＲＥＱメッセージを送信する場合においても、送信元アドレス３１は基地局１のアドレスを格納する。
ＲＥＰ−ＲＥＱ−ＡＤＶメッセージの送信元アドレス３１は、基地局１のアドレスを格納する。ＲＥＰ−ＲＥＱメッセージの送信先アドレス３２は中継局１２あるいは端末１３のアドレスを格納する。ＲＥＰ−ＲＥＱ−ＡＤＶメッセージの送信先アドレス３２は、配下の関係する全ての端末に送信するためにブロードキャストアドレスを格納する。
【００１４】
図４は、チャネル状態の報告メッセージのフォーマットを示す。
このメッセージは８０２．１６ｅ規格で規定されたものであり、基地局または中継局が端末に対して送信するＲＥＰ−ＲＳＰ（ＣＨＡＮＮＥＬ  ＭＥＡＳＵＲＥＭＥＮＴ  ＲＥＰＯＲＴ  ＲＥＳＰＯＮＳＥ）メッセージである。
【００１５】
ＲＥＰ−ＲＳＰメッセージは、そのメッセージを生成した端末のアドレスを示す送信元アドレス４１、メッセージのあて先の基地局のアドレスを示す送信先アドレス４２、メッセージの種別を示すメッセージ種別４３、チャネル状態の報告情報を格納するチャネル状態報告情報４４から構成される。チャネル状態４４には、受信電波状態、受信のゆらぎ状態等を示す情報が格納される。
ＲＥＰ−ＲＳＰメッセージの送信元アドレス４１は、中継局１２あるいは端末１３のアドレスを格納する。ＲＥＰ−ＲＥＱメッセージの送信先アドレス４２は基地局１のアドレスを格納する。
【００１６】
図５は、新規な形式によるチャネル状態の報告メッセージのフォーマットを示す。
このメッセージは中継局１２において作成され、中継局１２が基地局または上位の中継局に対して送信するための、端末のチャネル状態の報告するためのメッセージである。ここでは、ＲＥＰ−ＲＳＰ−ＡＧＧ（ＣＨＡＮＮＥＬ  ＭＥＡＳＵＲＥＭＥＮＴ  ＲＥＰＯＲＴ  ＡＧＧＲＥＧＡＴＩＯＮ）メッセージと言うことにする。
ＲＥＰ−ＲＳＰ−ＡＧＧメッセージは、メッセージを生成した中継局１２のアドレスを示す送信元アドレス５１、当該メッセージのあて先である基地局１０のアドレスを示す送信先アドレス５２、メッセージの種別を示すメッセージ種別５３、複数の端末のチャネル状態の報告情報５４，５５〜５ｎから成る。ここで、各端末の報告情報５４，５５、〜５ｎは、チャネル状態の報告情報を生成した報告元アドレス５４１、５５１，５ｎ１、及び各端末のチャネル状態の報告情報５４２、５５２、〜５ｎ２から構成される。
すなわち、基地局１０から送信されたチャネル状態の問合せメッセージＲＥＰ−ＲＥＱに対する回答としての報告メッセージであり、複数の端末に対応して、報告元アドレス５ｍ１とチャネル状態報告情報５ｍ２の複数の対からなる。
【００１７】
図６は、ＲＥＰ−ＲＥＱメッセージのみを使って基地局１が中継局１２、端末１３に対してチャネル状態を問い合わる場合の例を示す。
基地局１０は中継局１２及び端末１３に対してそれぞれＲＥＰ−ＲＥＱメッセージ６０１〜６０８を生成して、送信する。ここで、中継局１２１は、端末１３２宛てのＲＥＰ−ＲＥＱメッセージ６０３を転送する。中継局１２２は、中継局１２４、端末１３３，１３４宛てのＲＥＰ−ＲＥＱメッセージ６０６〜６０８を転送し、中継局１２４は、端末１３３，１３４宛てのＲＥＰ−ＲＥＱメッセージ１０７，１０８を転送する。
この例では、ＲＥＰ−ＲＥＱメッセージの送信が多数発生し、特にＲＥＰ−ＲＥＱメッセージの送信元である基地局１０周辺において、限られた無線帯域を圧迫する可能性がある。
【００１８】
図７は、ＲＥＰ−ＲＳＰメッセージのみを使って中継局１２、端末１３が基地局１０に対してチャネル状態を報告する場合の例を示す。
基地局１０は中継局１２、端末１３それぞれが生成したＲＥＰ−ＲＳＰメッセージ７１１〜７１８を受信する。ここで、中継局１２１は、端末１３２が生成したＲＥＰ−ＲＳＰメッセージ７１３を転送する。中継局１２２は、中継局１２４及び端末１３３，１３４が生成したＲＥＰ−ＲＳＰメッセージ７１６〜７１８を転送し、中継局１２４は、端末１３３，１３４が生成したＲＥＰ−ＲＥＱメッセージ７１７，７１８を転送する。
この例では、ＲＥＰ−ＲＳＰメッセージの送信が多数発生し、特にＲＥＰ−ＲＳＰメッセージの送信先である基地局１０周辺において、限られた無線帯域を圧迫する可能性がある。
【００１９】
図８は、一実施例によるＲＥＰ−ＲＥＱ、ＲＥＰ−ＲＥＱ−ＡＤＶメッセージを使って基地局１０が中継局１２、端末１３に対してチャネル状態を問い合わる場合の例を示す。
基地局１０は端末１３１に対してＲＥＰ−ＲＥＱメッセージ８２１を送信し、中継局１２１，１２２に対してＲＥＰ−ＲＥＱ−ＡＤＶメッセージ８２２をブロードキャスト送信する。中継局１２１はＲＥＰ−ＲＥＱ−ＡＤＶメッセージ８２２を受信すると、その内容を参照してＲＥＰ−ＲＥＱメッセージ８２３を生成し、端末１３２へ送信する。中継局１２２はＲＥＰ−ＲＥＱ−ＡＤＶメッセージ８２２を受信すると、中継局１２３，１２４に対してＲＥＰ−ＲＥＱ−ＡＤＶメッセージ８２４をブロードキャスト送信する。中継局１２４はＲＥＰ−ＲＥＱ−ＡＤＶメッセージ８２４を受信すると、その内容を参照してＲＥＰ−ＲＥＱメッセージ８２５を生成して端末１３３へ送信し、またＲＥＰ−ＲＥＱメッセージ８２６を生成して端末１３４へ送信する。
この例では、中継局１２に対してはＲＥＰ−ＲＥＱ−ＡＤＶメッセージを送信し、さらに中継局１２１、１２４は配下の端末１３２〜１３４に対してＲＥＰ−ＲＥＱメッセージを生成して、送信するので、図６の例と比較して無線帯域を効率よく使用することができる。
【００２０】
図９は、ＲＥＰ−ＲＳＰ、ＲＥＰ−ＲＳＰ−ＡＧＧメッセージを使って中継局１２、端末１３が基地局１０に対してチャネル状態を報告する場合の例を示す。
端末１３１は、ＲＥＰ−ＲＳＰメッセージ９３１を基地局１０に対して送信する。端末１３２は、基地局１０を送信先アドレスとしてＲＥＰ−ＲＳＰメッセージ９３３を中継局１２１に対して送信する。これを受信した中継局１２１は、ＲＥＰ−ＲＳＰメッセージ９３３に格納されている端末１３２のチャネル状態報告情報と、中継局１２１が生成したチャネル状態報告情報をＲＥＰ−ＲＳＰ−ＡＧＧメッセージ９３２に格納し、基地局１０へ送信する。
【００２１】
端末１３３はＲＥＰ−ＲＳＰメッセージ９３７を中継局１２４に対して送信し、端末１３４はＲＥＰ−ＲＳＰメッセージ９３８を中継局１２４に対して送信する。これを受信した中継局１２４は、ＲＥＰ−ＲＳＰメッセージ９３７，９３８に格納されている端末１３３、１３４のチャネル状態報告情報と、中継局１２４が生成したチャネル状態報告情報をＲＥＰ−ＲＳＰ−ＡＧＧメッセージ９３６に格納し、基地局１０を送信先アドレスとして中継局１２２へ送信する。
【００２２】
中継局１２３は、基地局１０を送信先アドレスとしてＲＥＰ−ＲＳＰメッセージ１３５を中継局１２２に対して送信する。ＲＥＰ−ＲＳＰメッセージ９３５、ＲＥＰ−ＲＳＰ−ＡＧＧメッセージ９３６を受信した中継局１２２は、ＲＥＰ−ＲＳＰメッセージ９３５に格納されている端末１２３のチャネル状態報告情報、及びＲＥＰ−ＲＳＰ−ＡＧＧメッセージ９３６に格納されている端末１３３，１３４、中継局１２４のチャネル状態報告情報、および中継局１２２が生成したチャネル状態報告情報をＲＥＰ−ＲＳＰ−ＡＧＧメッセージ９３４に格納して、基地局１０へ送信する。
【００２３】
このように、中継局１２はＲＥＰ−ＲＥＱ−ＡＤＶメッセージを受信してから一定時間内に、他の端末・中継局からのＲＥＰ−ＲＳＰあるいはＲＥＰ−ＲＳＰ−ＡＧＧメッセージを受信すると、それらのチャネル状態報告情報を一時保管し、一つのＲＳＰ−ＲＳＰ−ＡＧＧメッセージに集約して格納し、基地局１０へ向けて送信する。一定時間が過ぎた後にＲＥＰ−ＲＳＰメッセージあるいはＲＥＰ−ＲＳＰ−ＡＧＧメッセージを受信した場合は、これらのメッセージをそのまま基地局１０へ向けて転送する。
これにより、中継局１２はチャネル状態報告情報を集約するので、無線帯域を効率よく利用することができる。また、チャネル状態報告情報の集約に制限時間を設けることで基地局１０へのチャネル状態報告情報の伝達に大幅な遅延が発生しないようにすることができる。
【００２４】
図１０は、中継局におけるＲＥＰ−ＲＥＱ−ＡＤＶメッセージの処理動作を示す。
この処理は、中継局のメモリ２２に保管されたプログラムがＣＰＵ２１で実行されることで実現する。
例えば、中継局１２２は、基地局１０から送信されたＲＥＰ−ＲＥＱ−ＡＤＶメッセージを受信すると、タイマカウントを開始する（Ｓ１００１）。このタイマカウントは、図１１を参照して後述するが、チャネル状態報告情報の集約処理に使用される。
次に、配下に他の中継局が存在するか否かを確認する（Ｓ１００２）。この確認の結果、他の中継局１２３，１２４が存在する場合、その中継局１２３，１２４に対してＲＥＰ−ＲＥＱ−ＡＤＶメッセージを転送する（Ｓ１００３）。一方、中継局が存在しない場合、Ｓ１００４に進む。
【００２５】
次に、配下に端末が存在するか否かを確認する（Ｓ１００４）。確認の結果、端末が存在する場合、ＲＥＰ−ＲＥＱメッセージを生成して、当該ＲＥＰ−ＲＥＱメッセージをその端末へ送信して（Ｓ１００５）、処理を終了する。一方、端末が存在しない場合、処理を終了する。
ここで、中継局１２２には端末が直接に接続していないが、中継局１２４にはその配下に端末１３３，１３４があるので、中継局１２４は、ＲＥＰ−ＲＥＱメッセージを生成して、端末１３３，１３４にそれぞれ送信する。
なお、特に図示はしなかったが、各中継局１２は、その配下にある中継局及び端末を把握するために、配下にある中継局及び端末のアドレス（例えばＭＡＣアドレス）を登録したテーブルをメモリ２２に保管しており、このテーブルを参照することで、上記確認動作を行うことができる。
【００２６】
図１１は、中継局におけるチャネル状態報告情報を集約処理する動作を示す。
この処理は、中継局のメモリ２２に保管されたプログラムがＣＰＵ２１で実行されることで実現する。
まず、先にカウントを開始したタイマがタイムアウトしたか否かを確認する（Ｓ１１０１）。タイムアウトしていない場合、ＲＥＰ−ＲＳＰまたはＲＥＰ−ＲＳＰ−ＡＧＧメッセージを配下の端末あるいは中継局から受信したか否かを確認する（Ｓ１１０５）。確認の結果、これらのメッセージを受信している場合、メッセージ中のチャネル状態情報をメモリ２２に一時保管して（Ｓ１１０７）、Ｓ１１０１に戻る。一方、これらのメッセージを受信していない場合、Ｓ１１０１に戻る。
【００２７】
Ｓ１１０１においてタイマアウトした場合、メモリ２２内にチャネル状態報告情報が存在するか否かを確認する（Ｓ１１０２）。確認の結果、チャネル状態報告情報が存在している場合、ＲＥＰ−ＲＳＰ−ＡＧＧを作成して、基地局１０へ送信する（Ｓ１１０４）。一方、チャネル状態報告情報が存在しない場合、ＲＥＰ−ＲＳＰを基地局へ向けて送信する（Ｓ１１０３）。
以後、配下の端末あるいは中継局から受信したＲＥＰ−ＲＳＰまたはＲＥＰ−ＲＳＰ−ＡＧＧメッセージは、そのまま基地局へ向けて送信する（Ｓ１１０５）。
【００２８】
例えば、タイムアウトになった時、中継局１２４のメモリ２２内に、端末１３３，１３４からのチャネル状態報告情報が保管されていれば、中継局１２４は端末１３３，１３４のチャネル報告情報を作成して、上位の中継局１２２に送信することになる。この場合、図５に示したＲＥＰ−ＲＳＰ−ＡＧＧメッセージの報告元アドレス５４１、５５１と、チャネル状態報告情報５４２，５５２には、端末１３３，１３４の情報が格納される。
【００２９】
また、他の例として、タイムアウトになった時、中継局１２２のメモリ２２内に、中継局１２４からのＲＥＰ−ＲＳＰ−ＡＧＧメッセージが保管されていて、中継局１２３からの情報は格納されていなかったとする。この場合、中継局１２２は中継局１２４からの情報、すなわち端末１３３，１３４のチャネル報告情報を含むＲＥＰ−ＲＳＰ−ＡＧＧメッセージを作成して、基地局１０へ送信する。なお、タイムアウト後に受信した中継局１２３からの情報はそのまま、基地局１０送信される。
以上のように、本実施例によれば、好ましくは８０２．１６ｊ規格を踏襲した無線通信システムにおいて、端末に実質的な新たな仕様変更を施すことなく、無線帯域を効率よく利用することができる。
【図面の簡単な説明】
【００３０】
【図１】一実施例による無線通信システムの構成図。
【図２】一実施例における中継局１２のハードウェア構成図。
【図３】一実施例におけるチャネル状態の問合せメッセージのフォーマットを示す図。
【図４】一実施例におけるチャネル状態の報告メッセージのフォーマットを示す図。
【図５】一実施例における新規な形式によるチャネル状態の報告メッセージのフォーマットを示す図。
【図６】無線通信システムにおけるＲＥＰ−ＲＥＱメッセージのみを使用してチャネル状態を問い合わせる場合の例を示す図。
【図７】無線通信システムにおけるＲＥＰ−ＲＳＰメッセージのみを使用してチャネル状態を報告する場合の例を示す図。
【図８】一実施例の無線通信システムにおけるＲＥＰ−ＲＥＱ、ＲＥＰ−ＲＥＱ−ＡＤＶメッセージを使用してチャネル状態を問い合わせる場合の例を示す図。
【図９】一実施例の無線通信システムにおけるＲＥＰ−ＲＳＰ、ＲＥＰ−ＲＳＰ−ＡＧＧメッセージを使用してチャネル状態を報告する場合の例を示す図。
【図１０】一実施例による中継局におけるＲＥＰ−ＲＥＱ−ＡＤＶメッセージの処理動作を示すフロー図。
【図１１】一実施例による中継局におけるチャネル状態報告情報の集約処理動作を示すフロー図。
【符号の説明】
【００３１】
１０：基地局、  １２１〜１２４，１２：中継局、  １３１〜１３４，１３：端末、  ２１：ＣＰＵ、  ２２：メモリ、  ２５：無線Ｉ／Ｆ，  ２６：ネットワークコントローラ。
【図１】
2008219341.tif 000003
【図２】
2008219341.tif 000004
【図３】
2008219341.tif 000005
【図４】
2008219341.tif 000006
【図５】
2008219341.tif 000007
【図６】
2008219341.tif 000008
【図７】
2008219341.tif 000009
【図８】
2008219341.tif 000010
【図９】
2008219341.tif 000011
【図１０】
2008219341.tif 000012
【図１１】
2008219341.tif 000013